(57)【要約】  ステータ（４）と、ステータに対して軸方向に、また回転可能に移動可能なロータ（６）と、を含むポンプ（２）であって、ステータは、ロータシャフト受容キャビティ（１８）と、ロータシャフト受容キャビティ（１８）に流体接続された入口（１４）および出口（１６）と、を含み、ロータは、ロータシャフト受容キャビティ（１８）内に受容されるシャフト（２４）を含む、ポンプ（２）。ロータシャフト（２４）は、ステータのピストン部分（１２）を受容してピストンチャンバ（４２）を形成するキャビティ（３９）と、ピストン部分（１２）とキャビティ（３９）の内側側壁との間に装着されてピストンチャンバ（４２）の端部を密閉的に閉じるシール（４４）と、を含む。ロータは、ピストンチャンバ（４２）をロータシャフト（２４）の外側表面（６０）に流体接続するポート（３８）をさらに含み、ポート（３８）は、ポンプの吸入段階に対応するロータの回転角αにわたって入口（１４）に少なくとも部分的に重なるように配置され、ポンプの吐出段階に対応するロータの回転角βにわたって出口（１４）に少なくとも部分的に重なるように配置される。
2021508016.tif 000002
【特許請求の範囲】
【請求項１】
マイクロポンプ（２）において、
ステータ（４）と、前記ステータに対して軸方向に、また回転可能に移動可能なロータ（６）と、を含み、
前記ステータは、ロータシャフト受容キャビティ（１８）と、前記ロータシャフト受容キャビティ（１８）に流体接続された入口（１４）および出口（１６）と、を含み、前記ロータは、前記ロータシャフト受容キャビティ（１８）内に受容されるシャフト（２４）を含み、
前記ロータシャフト（２４）は、前記ステータのピストン部分（１２）を受容してピストンチャンバ（４２）を形成するロータキャビティ（３９）と、前記ピストン部分（１２）と前記ロータキャビティ（３９）の内側側壁との間に装着されて前記ピストンチャンバ（４２）の端部を密閉的に閉じるシール（４４）と、を含み、前記ロータは、前記ピストンチャンバ（４２）を前記ロータシャフト（２４）の外側表面（６０）に流体接続するロータシャフトポート（３８）をさらに含み、前記ロータシャフトポート（３８）は、ポンプの吸入段階に対応する前記ロータの回転角（α）にわたって前記入口（１４）に少なくとも部分的に重なるように配置され、ポンプの吐出段階に対応する前記ロータの回転角（β）にわたって前記出口（１４）に少なくとも部分的に重なるように配置されていることを特徴とする、マイクロポンプ。
【請求項２】
前記ロータシャフトポート（３８）は、前記ロータの外側表面（６０）に大きな直径を有し、かつ前記ロータキャビティ（３９）に向かって小さな直径を有する、凸状またはテーパ状の形状を有する入口部分（４０）を含む、請求項１に記載のマイクロポンプ。
【請求項３】
前記入口（１４）は、少なくとも３０°の角度セグメントにわたって延びる長方形の形状を有する、請求項１または２に記載のマイクロポンプ。
【請求項４】
前記出口（１６）は、少なくとも３０°の角度セグメントにわたって延びる長方形の形状を有する、請求項１から３のいずれか一項に記載のマイクロポンプ。
【請求項５】
前記入口は、前記ロータシャフト受容キャビティ（１８）の内側表面（６２）に沿って回転軸Ａの周りに３０°〜１２０°の角度にわたって延びる、請求項１から４のいずれか一項に記載のマイクロポンプ。
【請求項６】
前記出口は、前記ロータシャフト受容キャビティ（１８）の内側表面（６２）に沿って回転軸Ａの周りに３０°〜１２０°の角度にわたって延びる、請求項１から５のいずれか一項に記載のマイクロポンプ。
【請求項７】
前記ピストン部分（１２）は、前記ステータのベース壁（５２）から延び、前記ロータシャフト（２４）の端部（４８）が、前記ベース壁に隣接して配置されている、請求項１から６のいずれか一項に記載のマイクロポンプ。
【請求項８】
前記ステータおよび前記ロータは、前記ステータに対する前記ロータの角変位の関数として、前記ステータに対する前記ロータの軸方向変位を定めるカムシステム（２８）を構成する、請求項１から７のいずれか一項に記載のマイクロポンプ。
【請求項９】
連結器（３０）を介して前記ロータ（６）に回転連結された回転駆動部（８）を含み、前記連結器（３０）は、前記ステータに向かって前記ロータに力（Ｆｘ）を加える付勢機構（３６）を含む、請求項１から８のいずれか一項に記載のマイクロポンプ。
【請求項１０】
前記カムシステムは、前記ロータおよび前記ステータのうちの一方の上のカムトラック（３２）と、前記ステータおよび前記ロータのうちの一方の上のカムフォロア（３４）と、を含み、前記カムトラックおよび前記カムフォロアは、前記ロータ（６）のヘッド（２２）の外径上に位置づけられ、前記ヘッドは、前記ロータシャフト（２４）の端部に接続されている、請求項１から９のいずれか一項に記載のマイクロポンプ。
【請求項１１】
前記ロータ（６）と前記ステータ（４）との間に位置づけられ、前記ロータシャフト（２４）上の前記ロータシャフトポート（３８）の入口部分（４０）を覆うように配置された弾性膜（６０）をさらに含み、前記膜は、入口側の圧力が前記ピストンチャンバ（４２）内の圧力よりも大きいため、前記入口部分（４０）内に変形可能である、請求項１から１０のいずれか一項に記載のマイクロポンプ。
【請求項１２】
前記膜は、前記ステータ（４）に回転不能に固定されている、請求項１１に記載のマイクロポンプ。
【請求項１３】
前記膜は、前記ロータに固定され、前記ロータシャフトポート（３８）の前記入口部分（４０）を覆う、請求項１１に記載のマイクロポンプ。
【発明の詳細な説明】
【開示の内容】
【０００１】
〔技術分野〕
本発明は、マイクロポンプに関する。マイクロポンプは、少量の液体を分配するために、特に医学的適用、例えば薬剤送達装置において使用するために使用され得る。本発明に関連するマイクロポンプは、少量の液体の高精度送達を必要とする非医学的適用においても使用することができる。
【０００２】
〔関連技術の説明〕
特に医学的および非医学的適用において使用され得る、少量の液体を送達するためのマイクロポンプが、ＥＰ１８０３９３４およびＥＰ１６７７８５９に記載されている。前述の文献に記載されたマイクロポンプは、異なる直径の第１および第２の軸方向延長部を有するロータを含み、第１および第２の軸方向延長部は、ステータの第１および第２のシールと係合して、ロータの角変位および軸方向変位の関数として、それぞれのシールを横切る液体連通を開閉する、第１および第２のバルブを形成する。ステータの第１のシールと第２のシールとの間にポンプチャンバが形成され、それによって、ロータの１回転サイクル当たりの液体のポンピング体積は、ロータの第１の軸方向延長部と第２の軸方向延長部との直径の差、およびステータに対するロータの角度位置の関数としてカムシステムによってもたらされるロータの軸方向変位の両方の関数である。
【０００３】
ロータの連続的な回転によって少量の液体をポンピングする能力は、多くの状況において有利である。１回転サイクル当たりにポンピングされる液体の体積が小さいことを考慮すると、回転駆動部の出力部は、ピストンポンプのピストンを前進させるためのねじ機構の速度よりも一般に大きい速度で回転することができる。回転駆動部は制御が簡単で、ピストン機構が回避されることにより、ポンプを非常にコンパクトにすることができる。また、ポンプモジュールは、低コストの使い捨て部品で、例えば注入されたポリマーで、作られ得る。
【０００４】
しかしながら、特に摩擦に敏感な分子を含有する液体をポンピングするための、特定の適用では、ＥＰ１８０３９３４に記載のようなロータシャフトとポンプのバルブシールとの間の摩擦は望ましくない場合がある。これは、例えば、剪断応力に敏感である、特定のタンパク質などの大きな分子では問題となり得る。
【０００５】
上記の問題は、他のポンプシステム、特にピストンロッドによって前進されるプランジャを備えたカートリッジを含むピストンポンプまたはポンプを提供することによって克服することができる。しかしながら、このようなポンプシステムは、あまり経済的でなく、また、ピストン機構の長さを考慮すると、あまりコンパクトではない。ピストンポンプシステムの信頼性および安全性もまた、液体容器とポンプシステムの出口との間の直接的な流体連通をポンプシステムが本質的に遮断しないので、問題となり得る。
【０００６】
〔発明の概要〕
前述した事柄を考慮して、本発明の目的は、信頼性が高く安全な方法で少量の液体をポンピングすることができるマイクロポンプを提供することである。
【０００７】
ポンピングされている液体に剪断応力を加えないマイクロポンプを提供することは、特定の適用において有利である。
【０００８】
非常にコンパクトなマイクロポンプを提供することが有利である。
【０００９】
製造が経済的であり、かつ、薬剤送達装置の使い捨て部品など、使い捨ての再利用不可能な構成要素に組み込まれ得る、マイクロポンプを提供することは有利である。
【００１０】
本発明の目的は、請求項１に記載のマイクロポンプによって達成される。
【００１１】
本明細書では、ステータと、ステータに対して軸方向に、また回転可能に移動可能なロータと、を含むマイクロポンプが開示され、ステータは、ロータシャフト受容キャビティと、ロータシャフト受容キャビティに流体接続された入口および出口と、を含み、ロータは、ロータシャフト受容キャビティに受容されるシャフトを含む。ロータシャフトは、ステータのピストン部分を受容してピストンチャンバを形成するロータキャビティと、ピストン部分とロータキャビティの内側側壁との間に装着されてピストンチャンバの端部を密閉的に閉じるシールと、を含み、ロータは、ピストンチャンバをロータシャフトの外側表面に流体接続するロータシャフトポートをさらに含み、ロータシャフトポートは、ポンプの吸入段階に対応するロータの回転角（α）にわたって入口に少なくとも部分的に重なるように配置され、ポンプの吐出段階に対応するロータの回転角（β）にわたって出口に少なくとも部分的に重なるように配置される。
【００１２】
有利な実施形態では、ロータシャフトポートは、ロータ外側表面に大きな直径を有し、かつロータキャビティに向かって小さな直径を有する、凸状またはテーパ状の形状を有する入口部分を含む。
【００１３】
有利な実施形態では、入口は、少なくとも３０°の角度セグメントにわたって延びる長方形の形状を有する。
【００１４】
有利な実施形態では、出口は、少なくとも３０°の角度セグメントにわたって延びる長方形の形状を有する。
【００１５】
有利な実施形態では、入口は、ロータシャフト受容キャビティの内側表面に沿って回転軸Ａの周りに３０°〜１２０°の角度にわたって延びる。
【００１６】
有利な実施形態では、出口は、ロータシャフト受容キャビティの内側表面に沿って回転軸Ａの周りに３０°〜１２０°の角度にわたって延びる。
【００１７】
有利な実施形態では、ピストン部分は、ステータのベース壁から延び、ロータシャフトの端部が、ベース壁に隣接して配置される。
【００１８】
有利な実施形態では、ステータおよびロータは、ステータに対するロータの角変位の関数としてステータに対するロータの軸方向変位を定めるカムシステムを構成する。
【００１９】
有利な実施形態では、ポンプは、連結器を介してロータに回転連結された（coupled in rotation）回転駆動部を含み、連結器は、ステータに向かってロータに力（Ｆｘ）を加える付勢機構を含む。
【００２０】
有利な実施形態では、カムシステムは、ロータおよびステータのうちの一方の上のカムトラックと、ステータおよびロータのうちの一方の上のカムフォロアと、を含み、カムトラックおよびカムフォロアは、ロータのヘッドの外径上に位置づけられ、ヘッドは、ロータシャフトの端部に接続される。
【００２１】
別の実施形態では、ポンプは、ロータとステータとの間に位置づけられ、ロータシャフト上のポートの入口部分を覆うように配置された弾性膜をさらに含み得、膜は、入口側の圧力がピストンチャンバ内の圧力よりも大きいため、入口部分内に変形可能である。
【００２２】
一実施形態では、膜はステータに回転不能に固定され得る。
【００２３】
一実施形態では、膜は、ロータに固定され、ポートの入口部分を覆うことができる。
【００２４】
本発明のさらなる目的および有利な特徴は、特許請求の範囲、詳細な説明および添付図面から明らかであろう。
【図面の簡単な説明】
【００２５】
【図１】本発明の第１の実施形態によるマイクロポンプのポンプモジュールの概略断面図である。
【図２ａ】第１の実施形態によるポンプのポンプサイクルにおける、液体の吸入から吐出までの間の、１つのロータ位置を示す概略断面図である。
【図２ｂ】第１の実施形態によるポンプのポンプサイクルにおける、液体の吸入から吐出までの間の、別のロータ位置を示す概略断面図である。
【図２ｃ】第１の実施形態によるポンプのポンプサイクルにおける、液体の吸入から吐出までの間の、別のロータ位置を示す概略断面図である。
【図２ｄ】第１の実施形態によるポンプのポンプサイクルにおける、液体の吸入から吐出までの間の、別のロータ位置を示す概略断面図である。
【図３ａ】第１の実施形態の変形例による、３６０°の回転サイクルにわたるステータの入口および出口に対するロータのバルブポートの展開変位プロファイルを示す図である。
【図３ｂ】第１の実施形態の別の変形例による、３６０°の回転サイクルにわたるステータの入口および出口に対するロータのバルブポートの展開変位プロファイルを示す図である。
【図３ｃ】第１の実施形態の別の変形例による、３６０°の回転サイクルにわたるステータの入口および出口に対するロータのバルブポートの展開変位プロファイルを示す図である。
【図４】本発明の第２の実施形態によるマイクロポンプのポンプモジュールの概略断面図である。
【図５ａ】第２の実施形態によるポンプのポンプサイクルにおける、液体の吸入から吐出までの間の、１つのロータ位置を示す概略断面図である。
【図５ｂ】第２の実施形態によるポンプのポンプサイクルにおける、液体の吸入から吐出までの間の、別のロータ位置を示す概略断面図である。
【図５ｃ】第２の実施形態によるポンプのポンプサイクルにおける、液体の吸入から吐出までの間の、別のロータ位置を示す概略断面図である。
【図５ｄ】第２の実施形態によるポンプのポンプサイクルにおける、液体の吸入から吐出までの間の、別のロータ位置を示す概略断面図である。
【図６】第２の実施形態による、３６０°の回転サイクルにわたるステータの入口および出口に対するロータのバルブポートの展開変位プロファイルを示す図である。
【００２６】
〔例示的な実施形態の詳細な説明〕
図面を参照すると、本発明の実施形態によるマイクロポンプ２は、ステータ４と、回転駆動部８に連結されたロータ６と、を含み、回転駆動部８は、ステータ４に対して軸Ａを中心にロータ６を回転させる。また、ロータ６は、ステータに対して軸方向に移動可能であり、軸方向Ａｘは、回転軸Ａと整列している。
【００２７】
回転駆動部８は、連結器３０を介してロータ６に連結され、連結器３０は、モータに対するロータの軸方向変位を可能にするが、回転駆動部の出力部をロータに回転連結する。連結器３０は、ステータ４に向かって軸方向の力Ｆｘを加える例えばコイルばねのようなばねの形態の付勢機構３６を含む。
【００２８】
ロータおよびステータは、ロータの角変位の関数としてロータの軸方向変位を定めるカムシステム２８を構成する。カムシステム２８は、相補的なカムフォロア３４に対して付勢されるカムトラック３２を含むことができ、付勢機構３６は、カムフォロアがカムトラックを圧迫することを確実にする。カムトラック３２は、ステータに対するロータの角度位置の関数としてステータに対するロータの軸方向位置を定めるプロファイルＰを有する。
【００２９】
３６０°の回転サイクルにわたって展開されたカムトラックプロファイルＰの一例を図３および図６に示す。
【００３０】
図示の実施形態では、カムトラック３２はロータ６のヘッド２２上に形成され、相補的なカムフォロア３４はステータ４のリム上に設けられている。しかしながら、当業者は、カムフォロアがロータ上に設けられ、カムトラックがステータ上に設けられてもよいことを理解するであろう。
【００３１】
図示された実施形態では、付勢機構３６およびカムシステム２８は、ロータの角度位置の関数としてステータに対するロータの軸方向変位を定める軸方向変位システムを共に形成するが、本発明の範囲から逸脱することなく他の軸方向変位システムを実装してもよい。例えば、軸方向変位は、回転駆動部に連結された電磁アクチュエータによってもたらされてもよく、または回転運動と軸方向運動の両方を出力する駆動部によってもたらされてもよい。
【００３２】
ステータ４はキャビティ１８を含み、ロータ６はキャビティ１８内に回転可能かつスライド可能に挿入されたシャフト２４を含む。ロータシャフト受容キャビティ１８は、特にロータシャフト２４の外側表面に極めて近接した円筒状内側表面を有することができる側壁５０を含む。ステータ４は、入口１４および出口１６を含む。ロータの回転方向に応じて、入口は出口に、出口は入口に、それぞれなり得ることが理解されよう。変形例では、ポンプは、ポンプを通じた液体の双方向ポンピングのために可逆的であってもよく、その方向は、ロータの回転方向に依存する。代替的に、ポンプは、一方向となるように構成することができ、ポンプを通じて一方向にのみ流体をポンピングするために、ロータを一方向にのみ回転させることができる。
【００３３】
図示の実施形態では、入口および出口の両方がステータの側壁５０を通って延びるが、入口および／または出口は、適用および所望の構成に応じて、ステータの様々な位置で液体源または液体出力装置に連結するようにステータの本体内に延びる様々な形状のチャネルとして形成され得ることが理解されよう。
【００３４】
本発明の実施形態によるマイクロポンプは、患者に液体薬剤を投与するための薬剤送達装置において有利に使用され得る。したがって、出口は、薬剤の経皮投与のために針に、または患者に接続されたカテーテルもしくは他の液体導管に、接続され得る。入口は、薬剤バイアル、カートリッジ、または他の液体薬剤源に接続され得る。
【００３５】
マイクロポンプは、ロータ６とステータ４との間にシール２６をさらに含み、このシールは、ステータのロータシャフト受容キャビティ１８内でステータキャビティの挿入端部５４に近接して位置づけられる。図示の実施形態では、ステータ２４上のカムフォロアは、挿入端部５４から突出している。
【００３６】
ロータ６はキャビティ３９を含み、ステータ４はキャビティ３９内にスライド可能に受容されるピストン部分１２を含む。シールリング４４が、キャビティ３９とピストン部分１２との間でピストン部分の周囲に位置づけられる。シールリング４４は、ピストン部分１２の自由端部５６に隣接して位置づけられる。このようにして、自由端部５６と、シール４４と、ロータキャビティ３９の境界を定める内壁５８との間にピストンチャンバ４２が形成される。ピストンチャンバ４２は、ポート３８を介してロータシャフト２４の外側表面６０に流体接続されている。
【００３７】
図示の実施形態では、ポート３８は、キャビティ３９から延びるチャネル４６と、ロータシャフトの外側表面６０から延びる入口部分４０と、を含む。外側表面６０は、特に、本質的に円筒状の表面とすることができる。入口部分４０は、チャネル４６に対して拡大されており、例えば、外側表面６０に大きな開口部を有し、チャネル４６に向かって、かつチャネル４６に接続された、より小さなセクションを有する、本質的にテーパ状、漏斗、またはカップの形状を有することができる。
【００３８】
図１〜図３に示す第１の実施形態では、ステータに対するロータの回転中に、ポート３８の入口部分４０が入口１４および出口１６に対して軸方向および回転方向に移動して、ロータ６内のピストンチャンバ４２がポンプサイクルの吸入部分中に入口と液体連通し、次いでポンプサイクルの吐出部分中に出口１６と液体連通することができる。シール４５が、ロータシャフト受容キャビティ１８の内側で入口１４を囲み、シール４５が、ロータシャフト受容キャビティ１８の内側で出口１６を囲み、これらのシールは、ロータの外側表面６０に対して付勢する。また、入口部分４０の周囲にシール（不図示）を設けてもよい。入口および出口のシール４５は、入口および出口を通って流れる液体が、ロータシャフトとステータ内の受容キャビティ１８との間の空間内に漏れないことを確実にする。
【００３９】
ポンプサイクルの吸入部分の間、ロータの入口部分４０は、吸入角αにわたり入口１４の一部と重なり、これにより、軸方向変位システムはロータに軸方向運動Ａｘを与え、ピストンチャンバ４２の容積が増加し、かくして、液体を入口１４からピストンチャンバ４２内に引き込む。ロータが吸入角αを通過した後、ポート３８は側壁５０の内側表面によって閉じられ、入口１４にも出口１６にも重ならない。
【００４０】
ロータが回転した後、ポート３８が出口１６と重なると、吐出段階が開始する。ポンプサイクルの吐出段階は、ポート３８が出口１６と少なくとも部分的に重なったままであり、ロータ６がステータ４に対して変位してピストンチャンバ４２の容積が減少する、角度吐出範囲βにわたって生じる。
【００４１】
吸入段階の間、ロータシャフトポート３８とステータ入口１４との重なりは、開放入口バルブＶ１を形成し、ロータシャフトポート３８とステータ出口１６との重なりは、開放出口バルブＶ２を形成する。入口バルブＶ１および出口バルブＶ２は、ロータシャフトポート３８が入口１４とも出口１６とも重ならないときに、ポンプサイクルの吸入段階とポンプサイクルの吐出段階との間の、ある角回転にわたって閉じられる。
【００４２】
ロータキャビティ３９内に挿入されたステータピストン部分１２は、有利には、ピストンチャンバ４２を入口および出口の高さに位置させ、ほぼ完全に空にすることを可能にして、これにより、吸入動作と吐出動作との間の液体のデッドボリュームを減少させる。これはまた、小径のロータキャビティ３９および対応するステータピストンを単に設けることによって、１サイクル当たりのポンピング体積をロータシャフトの寸法と比較して小さくすることを可能にする。
【００４３】
ピストン部分１２はまた、ロータシャフトのセンタリングおよび案内を都合よく改善して、ロータシャフトの回転方向および軸方向の案内を改善する一方で、ロータとステータとの間のシール４４による摩擦力を低減する。また有利には、入口１４は、入口１４と出口１６との間のポート３８の閉鎖位置のために、出口１６と直接流体連通することができない。入口１４は、軸Ａを中心として回転角α’にわたって延在する長方形のスロット形状を備えていてもよく、このスロット形状は、吸入角αにわたってロータポート３８と重なることを可能にし、この吸入角αの間、ロータは、ポンプサイクルの吸入段階中にポンプチャンバ容積４２を増加させる軸方向変位をもたらす。出口１６は、軸Ａを中心として回転角β’にわたって延在する長方形のスロット形状を備えることができ、このスロット形状は、吐出角βにわたってロータポート３８と重なることを可能にし、この吐出角βの間、ロータは、ポンプサイクルの吐出段階の間にポンプチャンバ容積４２を減少させる軸方向変位をもたらす。有利な実施形態では、吸入段階の回転角αおよび吐出段階の回転角βは、有利には、それぞれ６０°〜１２０°の範囲内とすることができる。これにより、一方では、ロータの円滑な軸方向変位を生じさせてポンプチャンバを満たすか、または空にするのに十分な角度範囲が可能になると共に、入口と出口との間のバルブ閉鎖安全マージンを確保する。
【００４４】
本発明の範囲内では、吸入角αは、吐出角βとは異なっていてもよいことに注目することができる。
【００４５】
有利な実施形態では、例えば図３ｂに示されるように、吸入角αは吐出角βよりも大きい。前述の実施形態では、ポンプサイクルの吸入段階は、吐出段階よりも遅く、液体への負圧を減少させて、気泡発生のような関連する悪影響を回避する。多くの適用において、液体は高い吐出流量および圧力に耐えることができるので、吐出段階は短くてよい。それにもかかわらず、別の変形例では、例えば図３ｃに示すように、吐出段階よりも短い吸入段階を有するように関係を逆にすることも可能である。例えば、より遅い吐出段階は、吐出段階中の液体のインパルス送達を減少させるために、特定の適用において所望され得る。
【００４６】
図３ａに示す実施形態では、吸入段階および吐出段階は実質的に同一であるが、上述したように、所望の吸入および排気口圧力（intake and outtake pressures）ならびに流量に応じて、軸方向変位システムに関連して、入口および出口の角度範囲を変化させることができる。
【００４７】
角変位φの関数としての軸方向変位プロファイルＰも、液体の吸入流量および吐出流量を制御および最適化するように変化させることができる。
【００４８】
図４、図５ａ〜図５ｄおよび図６に示される第２の実施形態では、ピストンチャンバ４２は、入口１４または出口１６と直接流体連通していない。ステータ側壁５０の内側表面に固定された膜２０が、ロータの外側表面６０とステータキャビティ１８の内側表面６２との間に装着される。膜２０は、弾性であり、入口部分４０と流体連通するピストンチャンバ４２内に不十分な圧力があるときに入口部分４０に吸い込まれるように構成されている。吸入段階の間、ピストンチャンバ４２の増大した容積は、膜２０の一部を入口部分４０に吸い込む不十分な圧力をピストンチャンバ内に生じさせる。ポンプサイクルの吸入段階の間、入口部分４０は入口１４と少なくとも部分的に重なるので、入口からの液体は、膜の吸い込まれた部分によって形成された入口部分４０の容積内に引き込まれる。ロータが回転すると、入口部分内の液体が入口部分と共に回転し、これにより、ロータが回転すると、回転しない膜が入口部分にスライドしながら吸い込まれる。入口部分内の液体は、その容積内に捕捉され、ロータと共に移動する。入口部分４０が入口１４と重ならなくなると、入口部分内の液体は、膜とステータ側壁５０の内側表面６２との間に捕捉され、入口部分４０が出口１６と重なるまでこれらに沿って移動する。ピストンチャンバ４２内の不十分な圧力が元に戻り（reduced）、入口部分内の膜がステータキャビティ側壁に接する位置に戻り、よって、入口部分に捕捉された液体を、出口１６を通じて吐出する。膜は、特に、ロータが回転するときに容易にスライドおよび変形して入口部分に出入りするように構成された、薄い弾性ポリマーシートから作ることができる。
【００４９】
変形例では、弾性膜をロータに固定して、ロータシャフトポート３８の入口部分４０を覆ってもよい。このようにして、この変形例の膜はロータと共に回転する。この変形例では、入口と出口との間で入口部分内に捕捉された液体が密閉され、ポンプサイクルの吸入段階と吐出段階との間で入口部分内に留まることを確実にするために、入口部分４０を囲み、ステータ側壁の内側表面６２に対して付勢されるシールが設けられる。
【００５０】
〔図示された特徴部のリスト〕
マイクロポンプ２
ステータ４
入口１４
出口１６
ロータシャフト受容キャビティ１８
側壁５０
挿入端部５４
ベース壁５２
ピストン部分１２
自由端部５６
シール４４
膜２０
ロータ６
ヘッド２２
シャフト２４
ロータシャフトポート３８
入口部分４０
チャネル４６
シール４５
ロータキャビティ３９
ピストンチャンバ４２
内壁５８
端部４８
外側（円筒状）表面６０
ロータ−ステータシール２６
第１のバルブＶ１
第２のバルブＶ２
軸方向変位システム
カムシステム２８
ロータ上のカムトラック３２
ステータ上の相補的なカムフォロワ３４
連結器３０
付勢機構３６
回転駆動部８
【００５１】
〔実施の態様〕
（１）  マイクロポンプ（２）において、
ステータ（４）と、前記ステータに対して軸方向に、また回転可能に移動可能なロータ（６）と、を含み、
前記ステータは、ロータシャフト受容キャビティ（１８）と、前記ロータシャフト受容キャビティ（１８）に流体接続された入口（１４）および出口（１６）と、を含み、前記ロータは、前記ロータシャフト受容キャビティ（１８）内に受容されるシャフト（２４）を含み、
前記ロータシャフト（２４）は、前記ステータのピストン部分（１２）を受容してピストンチャンバ（４２）を形成するロータキャビティ（３９）と、前記ピストン部分（１２）と前記ロータキャビティ（３９）の内側側壁との間に装着されて前記ピストンチャンバ（４２）の端部を密閉的に閉じるシール（４４）と、を含み、前記ロータは、前記ピストンチャンバ（４２）を前記ロータシャフト（２４）の外側表面（６０）に流体接続するロータシャフトポート（３８）をさらに含み、前記ロータシャフトポート（３８）は、ポンプの吸入段階に対応する前記ロータの回転角（α）にわたって前記入口（１４）に少なくとも部分的に重なるように配置され、ポンプの吐出段階に対応する前記ロータの回転角（β）にわたって前記出口（１４）に少なくとも部分的に重なるように配置されていることを特徴とする、マイクロポンプ。
（２）  前記ロータシャフトポート（３８）は、前記ロータの外側表面（６０）に大きな直径を有し、かつ前記ロータキャビティ（３９）に向かって小さな直径を有する、凸状またはテーパ状の形状を有する入口部分（４０）を含む、実施態様１に記載のマイクロポンプ。
（３）  前記入口（１４）は、少なくとも３０°の角度セグメントにわたって延びる長方形の形状を有する、実施態様１または２に記載のマイクロポンプ。
（４）  前記出口（１６）は、少なくとも３０°の角度セグメントにわたって延びる長方形の形状を有する、実施態様１から３のいずれかに記載のマイクロポンプ。
（５）  前記入口は、前記ロータシャフト受容キャビティ（１８）の内側表面（６２）に沿って回転軸Ａの周りに３０°〜１２０°の角度にわたって延びる、実施態様１から４のいずれかに記載のマイクロポンプ。
【００５２】
（６）  前記出口は、前記ロータシャフト受容キャビティ（１８）の内側表面（６２）に沿って回転軸Ａの周りに３０°〜１２０°の角度にわたって延びる、実施態様１から５のいずれかに記載のマイクロポンプ。
（７）  前記ピストン部分（１２）は、前記ステータのベース壁（５２）から延び、前記ロータシャフト（２４）の端部（４８）が、前記ベース壁に隣接して配置されている、実施態様１から６のいずれかに記載のマイクロポンプ。
（８）  前記ステータおよび前記ロータは、前記ステータに対する前記ロータの角変位の関数として、前記ステータに対する前記ロータの軸方向変位を定めるカムシステム（２８）を構成する、実施態様１から７のいずれかに記載のマイクロポンプ。
（９）  連結器（３０）を介して前記ロータ（６）に回転連結された回転駆動部（８）を含み、前記連結器（３０）は、前記ステータに向かって前記ロータに力（Ｆｘ）を加える付勢機構（３６）を含む、実施態様１から８のいずれかに記載のマイクロポンプ。
（１０）  前記カムシステムは、前記ロータおよび前記ステータのうちの一方の上のカムトラック（３２）と、前記ステータおよび前記ロータのうちの一方の上のカムフォロア（３４）と、を含み、前記カムトラックおよび前記カムフォロアは、前記ロータ（６）のヘッド（２２）の外径上に位置づけられ、前記ヘッドは、前記ロータシャフト（２４）の端部に接続されている、実施態様１から９のいずれかに記載のマイクロポンプ。
【００５３】
（１１）  前記ロータ（６）と前記ステータ（４）との間に位置づけられ、前記ロータシャフト（２４）上の前記ロータシャフトポート（３８）の入口部分（４０）を覆うように配置された弾性膜（６０）をさらに含み、前記膜は、入口側の圧力が前記ピストンチャンバ（４２）内の圧力よりも大きいため、前記入口部分（４０）内に変形可能である、実施態様１から１０のいずれかに記載のマイクロポンプ。
（１２）  前記膜は、前記ステータ（４）に回転不能に固定されている、実施態様１１に記載のマイクロポンプ。
（１３）  前記膜は、前記ロータに固定され、前記ロータシャフトポート（３８）の前記入口部分（４０）を覆う、実施態様１１に記載のマイクロポンプ。
【図１】
2021508016.tif 000003
【図２（Ａ）】
2021508016.tif 000004
【図２（Ｂ）】
2021508016.tif 000005
【図２（Ｃ）】
2021508016.tif 000006
【図２（Ｄ）】
2021508016.tif 000007
【図３ａ】
2021508016.tif 000008
【図３ｂ】
2021508016.tif 000009
【図３ｃ】
2021508016.tif 000010
【図４】
2021508016.tif 000011
【図５】
2021508016.tif 000012
【図６】
2021508016.tif 000013
【国際調査報告】
2021508016.tif 000014
2021508016.tif 000015
2021508016.tif 000016